(57)【要約】【課題】作業現場等で発信機付きカード等を所持させていたが、作業者がカードを忘れた場合等に入退場を把握できない。文献では、不正が簡単なこと、ゲートの設置等でコスト高となること、ゲートの設置に電源が必要となること等の課題がある。【解決手段】コードナンバーを貼付等した作業現場の特定位置に設置した確認看板と、確認看板のコードナンバーを読取るコードナンバー読取り端末と、読取られたコードナンバーデータを送信する送信端末と、送信されたデータを受信する受信部と、受信したデータを記憶・管理する記憶部と、記憶されたデータを送信する送信部と、送信されたデータを出力する出力部でなる出退勤管理・労務管理システムであり、作業者の不正を防止できること、現場の電源が不要なこと、場所を問わず資料の作成・閲覧が可能なこと、作業の効率化、入力ミス等の防止が可能なこと、作業者の出退勤管理が簡易なこと等の効果がある。【選択図】          図１
2004326226.tif 000002
【特許請求の範囲】
【請求項１】
バーコード・識別コード等のコードナンバーを貼り付け、印刷又は埋め込みした建設現場・工事現場に予め決定された特定位置に設置した確認看板と、該確認看板に貼り付け、印刷又は埋め込みされたバーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶及び管理する記憶部と、該記憶部により記憶されたコードナンバーデータを管理サーバに送信する送信部と、該送信部により送信されたコードナンバーデータを出力変換し出力する出力部と、でなる建設現場・工事現場に設置された確認看板・仮設トイレ・仮設フェンス・ガードマンボックス・仮設電柱・仮設門扉等に貼り付け、印刷又は埋め込まれたバーコード・識別コード等のコードナンバーによるインターネット等の通信回線を利用した作業者の出退勤管理・労務管理システム。
【請求項２】
バーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶する記憶部と、該記憶部により記憶されたコードナンバーデータを管理サーバに送信する送信部と、該送信部により送信されたコードナンバーデータを出力変換し出力する出力部と、でなる建設現場・工事現場に予め決定された特定位置に設置された確認看板に貼り付け、印刷又は埋め込まれたバーコード・識別コード等のコードナンバーによるインターネット等の通信回線を利用した作業者の出退勤管理・労務管理システムに使用される確認看板。
【請求項３】
バーコード・識別コード等のコードナンバーを建設現場・工事現場に予め決定された特定位置に設置された仮設トイレ・仮設フェンス・ガードマンボックス・仮設電柱・仮設門扉に貼り付け、印刷又は埋め込みした請求項１に記載の建設現場・工事現場に予め決定された特定位置に設置された確認看板等に貼り付け、印刷又は埋め込まれたバーコード・識別コード等のコードナンバーによるインターネット等の通信回線を利用した作業者の出退勤管理・労務管理システム。
【発明の詳細な説明】
【０００１】
【発明の属する技術分野】
本発明は、建設現場・工事現場に予め決定された特定位置に設置された確認看板・仮設トイレ・仮設フェンス・ガードマンボックス・仮設電柱・仮設門扉に等に貼り付け、印刷又は埋め込まれたバーコード・識別コード等のコードナンバーによるインターネット等の通信回線を利用した作業者の出退勤管理・労務管理システム及びそのシステムに使用される確認看板である。
【０００２】
【従来の技術】
現在、各建設現場・工事現場・イベント会場等の各現場で現場への入退場を管理する方法としては、音波や電波等の発信機の付いたカード等を所持させておき、そのカードからの信号の受信によって入退場を把握することができるようになっていた。また、個人毎の出勤時間、退勤時間及び休憩時間等の勤務状況を示す時間情報は、各現場のプレハブ小屋等の事務所に設置されたタイムレコーダにより、個人毎にタイムカードに記録しておき、必要に応じて、手入力によりコンピュータに入力され、集計されることが多かった。
【０００３】
建設現場・工事現場・イベント会場等では多数のアルバイト・契約社員・日雇い労働者・下請業者・一人親方等を雇用している場合が多く、各作業者の状況をリアルタイムに把握することが求められており、また、現場の作業者の入退場を管理することが求められている。上記の点に関して文献を調査してみると、下記のような文献があった。
【０００４】
文献（１）は、特開２００１−６００８「帳票打ち出し可能な入退場管理システム」であり、入退場者情報を入力するタッチパネルと入退場者に基づいて各人に固有のバーコードを印刷するプリンターと、入退場ゲートに設けられ、入退場を検知するエリアセンサーと、入退場ゲートに設けられ、入退場者のバーコードを非接触で読み取るバーコードリーダーとエリアセンサーによって、入場又は退場のいずれかは判別すると共に、バーコードリーダーによって入場者を特定して、その結果を保存するパソコンとを備える。プリンターには各種日報、月報、一覧表の他、法令に基づいて帳票が出力される。
【０００５】
【発明が解決しようとする課題】
建築現場・工事現場・イベント会場等、屋外で作業をする場合、音波や電波等の発信機の付いたカード等を所持させていたが、作業者がカードを忘れた場合又は紛失した場合等に入退場を把握できない問題があった。
【０００６】
また、現在、建設事業について様々な法定書類・官庁提出書類が存在するが、建設事業の賃金総額の計算等は非常に複雑なものであり、正確な把握が困難なものである。一般の住宅・ユニット住宅・プレハブ住宅・プレカットされた木造住宅等の場合は、特に正確な把握が難しく書類の作成に手間がかかっていた。
【０００７】
建設現場・工事現場・イベント会場等では多数のアルバイト・契約社員・日雇い労働者・下請業者・一人親方等を雇用している場合が多く、各作業者の勤務形態は多様であり、また、入れ替わりも頻繁であるので、労務管理を迅速に行う為に、個人毎の出勤時間・退勤時間・所要時間・作業内容又は作業人員等をリアルタイムに把握することが求められているが、難しい状況であった。
【０００８】
文献（１）は、入退場者（作業者）は、バーコードを所定位置に貼るだけでよく、保守管理も容易であるが、バーコードを所定位置に貼るだけであるので、第三者がバーコードを貼ることによって、他人になりすますことによる不正が簡単にできること、ゲートを設置し、また現場に事務所を設置し、パソコン等の機材を置かなければならず、コスト高となること、ゲートの設置に際し電源が必要となり、電源の無い場所（山奥等）での設置が困難なこと、等の課題がある。
【０００９】
本発明は上記問題点の解決を図るために発明されたものである。
【００１０】
【課題を解決するための手段】
請求項１に係る本発明は、確認看板等にバーコード等のコードナンバーが貼り付け、印刷又は埋め込みされており、作業者が自己のコードナンバー読取り端末又は送信端末を使用しなければ送信ができないため、不正を防止することができること、確認看板等にバーコード等のコードナンバーを貼り付け、印刷又は埋め込みするものであり、現場の電源が不要であること、データをサーバに保管することが可能であるので、携帯電話・ＰＤＡ等からもアクセスすることが可能であり、どこにいても管理資料等の資料の作成・閲覧が可能であること、バーコード等のコードナンバーを使用することにより情報を数値化し読取るので、作業の効率化、入力ミス等の防止が可能であること、作業者の出退勤管理が非常に簡易にできることにより、作業者賃金総額の把握・作業者の日程管理が簡易にでき、従って、建設業に関する法定書類・官庁提出書類の作成及び社内管理書類の作成が非常に容易にできること、等の特徴がある。
【００１１】
請求項１は、バーコード・識別コード等のコードナンバーを貼り付け、印刷又は埋め込みした建設現場・工事現場に予め決定された特定位置に設置した確認看板と、該確認看板に貼り付け、印刷又は埋め込みされたバーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶及び管理する記憶部と、該記憶部により記憶されたコードナンバーデータを管理サーバに送信する送信部と、該送信部により送信されたコードナンバーデータを出力変換し出力する出力部と、でなる建設現場・工事現場に設置された確認看板・仮設トイレ・仮設フェンス・ガードマンボックス・仮設電柱・仮設門扉等に貼り付け、印刷又は埋め込まれたバーコード・識別コード等のコードナンバーによるインターネット等の通信回線を利用した作業者の出退勤管理・労務管理システムである。
【００１２】
請求項２に係る本発明は、確認看板は建設現場・工事現場に最も早くそして、必ず設置され、その確認看板等にバーコード等のコードナンバーを貼り付け、印刷又は埋め込みするものであり、低コストで確実な作業者の管理が可能なこと、バーコード等のコードナンバーを貼り付け、印刷又は埋め込みするもので、現場の電源が不要であること、現場の電源が不要であるため、山奥の現場・地下の現場等にも対応することができること、等の特徴がある。
【００１３】
請求項２は、バーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶する記憶部と、該記憶部により記憶されたコードナンバーデータを管理サーバに送信する送信部と、該送信部により送信されたコードナンバーデータを出力変換し出力する出力部と、でなる建設現場・工事現場に予め決定された特定位置に設置された確認看板に貼り付け、印刷又は埋め込まれたバーコード・識別コード等のコードナンバーによるインターネット等の通信回線を利用した作業者の出退勤管理・労務管理システムに使用される確認看板である。
【００１４】
請求項３に係る本発明は、仮設トイレ・仮設フェンス・ガードマンボックス・仮設電柱・仮設門扉は建設現場・工事現場に早期に納品され、また必要なものであり、コードナンバーを貼り付け、印刷又は埋め込みすることによって簡易に作業者の出退勤管理が可能なこと、低コストであること、等の特徴がある。
【００１５】
請求項３は、バーコード・識別コード等のコードナンバーを建設現場・工事現場に予め決定された特定位置に設置された仮設トイレ・仮設フェンス・ガードマンボックス・仮設電柱・仮設門扉に貼り付け、印刷又は埋め込みした建設現場・工事現場に予め決定された特定位置に設置された確認看板等に貼り付け、印刷又は埋め込まれたバーコード・識別コード等のコードナンバーによるインターネット等の通信回線を利用した作業者の出退勤管理・労務管理システムである。
【００１６】
【発明の実施の形態】
本発明の実施の形態について図面を基に説明する。
【００１７】
図１は本発明の一実施形態をフローチャート化した図である。１はコードナンバー読取り端末であり、例えば、バーコードリーダー等により簡易にコード読取ることがで
きる端末である。今回の発明の実施の形態ではバーコードで説明するが、一例であり、バーコードに限らずＪＩＳコード等データを数値化した識別コードであればよく、また、ＩＣチップ等でもよく、特に限定されない。なお、ＩＣチップ等の場合はコードナンバー読取り端末１はＩＣチップ読取り端末とする。２は送信端末であり、コードナンバー読取り端末１に接続され、コードナンバー読取り端末１で読取ったコードナンバーデータを送信する。送信端末２は、例えば、携帯電話、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等のインターネットに接続できる端末が挙げられる。作業現場・建設現場・工事現場等（以下、作業現場等とする。）によっては電源の確保が難しい場所もあるため、携帯電話、ＰＨＳ、ＰＤＡ、ノートパソコンのように充電タイプのもので、電源の確保の必要ない端末とする。
【００１８】
３はサーバであり、受信部３１、記憶部３２、表示部３３、送信部３４で構成される。受信部３１は、送信端末２により送信されたコードナンバーデータを受信する。記憶部３２は、受信部３１により受信したコードナンバーデータを記憶する。表示部３３は、記憶部３２により記憶されたコードナンバーデータを閲覧できるようにコードナンバーデータを閲覧可能に変換し表示する。送信部３４は、記憶部により記憶・管理されたコードナンバーデータの情報を管理サーバ４に送信する。管理サーバ４に送信されたコードナンバーデータは出力部４１によって、数字の羅列されたコードナンバーデータから出力変換し、プリンター等を通じて出力される。
【００１９】
なお、受信部３１、記憶部３２、表示部３３、送信部３４では図１のように矢印のように相互のやり取りが可能である。コードナンバーデータ等のデータは数字を羅列したデータであり、セキュリティの向上が図れ、また、情報の漏洩があった際も、数字を羅列したデータであるため問題ない。４は管理サーバであり、サーバ３の送信部３４から送られてきたデータを管理する。
【００２０】
実際の一実施形態を図面に基づいて説明する。確認看板Ａにバーコードを貼り付け、印刷又は埋め込みした場合で説明する。作業者は作業現場等に到着した際、作業現場等に設置されている確認看板Ａのバーコードにコードナンバー読取り端末１を当ててバーコードを読取る。確認看板Ａは作業現場等には必ず設置されているものであり、作業現場等に最初に設置されるものである。従って、作業現場等での作業が開始された当初から、本発明のシステムを利用することができ、効率よく簡易に労務管理が可能となる。また、本発明は電源を必要としないので、電源の無い状態からの作業からでも労務管理が可能となる。また、予め決定された特定の位置（例えば、作業現場等の入口の側、作業者が必ず通る場所等のわかりやすい場所等）に設置してあるため、作業者が貼り付け、印刷又は埋め込みされたバーコードにコードナンバー読取り端末１を当てることが簡単にできる。バーコードは貼り付け、印刷又は埋め込みされており、雨が降っても剥れないよう防水加工が可能である。また、トラック等の通行により泥水等が付いた場合も、拭き取ることによって簡易にバーコードが読取ることのできる状態に戻せるように防水加工をすることも可能である。
【００２１】
なお、確認看板ＡのバーコードＺは作業現場等に設置されているため、その作業現場に行かなければ確認看板Ａに貼り付け、印刷又は埋め込まれたバーコードＺを読取ることができないため、コードナンバー読取り端末１で確認看板Ａを読取ることによって、現場にそのコードナンバー読取り端末１を所有している作業者の特定が可能であり、また作業現場等が特定できる。また、現場に行かなければバーコードＺを読取れないため、実際に作業者が作業現場等に足を運ばなければならず、不正申告の防止が可能である。コードナンバー読取り端末１は、図示しないが、確認看板Ａ近くに置いておくことも可能である。この場合は、自分の所有する送信端末２で行うことにより、作業者の特定が可能である。なお、確認看板ＡにおけるバーコードＺの位置は、確認看板Ａの上部・下部を問わず、左右側等の位置も特に限定されない。
【００２２】
バーコードデータの内容は、作業者の特定・作業現場等の特定に限らず、出勤時間・退勤時間等の特定も可能であり、新たにバーコードＺを作成することによって必要項目を増やすことも可能である。作業進捗情報等の報告も可能である（後述する。）。このようにコードナンバー読取り端末１を使用することにより操作が簡易になり、作業者の手間を省くことができる。また、タイムカード等に手書きで書いたもの又は印字されたものを、再度パソコン等に入力する必要もなく、作業の効率化、入力ミス等の防止が可能である。
【００２３】
確認看板Ａに貼り付け、印刷又は埋め込みされているバーコードＺをコードナンバー読取り端末１で読取った後、各作業現場等の送信端末２（図２では携帯電話が図示されているが、ＰＨＳ、ＰＤＡ等でもよい）から、サーバ３に送信する。自動送信も可能であるが、地下での作業、山奥での作業のように送信端末２の電波の届かない場所の場合、電波の届く場所に移動後、コードナンバー読取り端末１で読取ったデータを送信すればよく、コードナンバー読取り端末１又は送信端末２にデータの保存が可能である。充電している電源が切れた場合等も、データはコードナンバー読取り端末１又は送信端末２に保存されているので、データを再度読取る必要がなく、手間も省け、効率的である。後で送信する場合も、コードナンバー読取り端末で読取った時間が記憶されているので、特に問題は無い。また、山奥等の電源の確保が難しい作業現場の場合、本願発明は、バーコードＺを確認看板Ａに貼り付け、印刷又は埋め込みしており、電源を必要としないので、電源の無い作業現場等でも使用可能である。
【００２４】
サーバ３の受信部３１により受信されたコードナンバーデータは、記憶部３２に送信され、該当する作業者の特定・作業現場等の特定・出勤時間等が記憶され管理される。なお、送信されたデータを受信した時間・コードナンバー読取り端末１により読取られた時間をサーバ側でも記録するので、勤務時間の正確性が高まる。また、記憶部３２から表示部３３にコードナンバーデータが送られ、インターネット上にて出退勤情報・作業進捗情報を閲覧することが可能である。その際は、ＩＤ及びパスワード等で操作制限をする。また、記憶部３２から送信部３４にデータを送信し、送信部３４から管理サーバ４にデータを送信する。管理サーバ４において、作業者データ・作業者の出退勤データ・作業現場の進捗状況データ等を管理し、帳票の作成、各会社内の既存のシステムへの応用、インターネット上での閲覧等が可能である。また、管理サーバ４で管理されているデータはバーコードＺの数値化されたデータから変換保存され、必要な情報を現場管理者、下請け業者等に配信することが可能である。出力部４１により、変換されたコードナンバーデータをプリンター等により出力し、前記帳票の作成、労務保険資料の作成をすることも可能である。従って、帳票及び労務保険資料の作成が簡易になり、低コスト化を図ることができる。また、コードナンバー読取り端末１で読取り送信端末２で送信したデータは、外部のサーバ３に送信されるので、作業現場等に事務所を設置し、パソコン等を設置しなくてもよく、コストの削減が可能である。
【００２５】
作業終了後、作業現場等の作業者は確認看板Ａに貼り付け、印刷又は埋め込まれたバーコードＺにコードナンバー読取り端末１を当ててバーコードＺを読取る。また、併せて確認看板Ａに設置してあるコード表又は作業者が持参したコード表を使用して作業の進捗情報を読取る。読取られたデータは前記の出勤時間が記録される際と同様に、送信端末２を介してサーバ３の受信部３１へ送信され、記憶部３２により記憶及び管理される。なお、作業の進捗情報は、例えば、建築現場であれば、足場組立て、捨てコン等の作業内容について表したもの、進行度をパーセンテージで表したもの、作業が遅れた場合の理由を表したもの、等をバーコード化したものであり、バーコード化された選択肢の中から選択して読取るようにする。
【００２６】
また、上記のように、コードナンバー読取り端末１でバーコードＺを読込むことによって、作業現場等に現在誰が居るのか、何人で作業をしているのか、欠勤しているのは誰なのか、ある作業者はどこの現場に居るのかがわかり、作業者管理を簡易に行うことができる。また、情報を数値化することにより、膨大なデータ保存が可能となること、情報を簡易に蓄積できるので、情報を基に再考し、より効率的な管理・運営・配置が可能となること等の特徴がある。
【００２７】
なお、確認看板ＡにバーコードＺを貼り付け、印刷又は埋め込みする場合だけでなく、例えば、図３のように仮設トイレＢにバーコードＺを貼り付け、印刷又は埋め込みする場合も考えられる。仮設トイレＢは、作業現場等に最も早く設置されるものであり、作業現場等には必ず設置されるものである。その仮設トイレＢにバーコードＺを貼り付け、印刷又は埋め込みすることによって、前述の確認看板と同様な効果があげられる。
【００２８】
図示しないが、仮設トイレＢにコードナンバー読取り端末１を収納する場所を作り、仮設トイレＢの収納場所に置いておくことも可能である。この場合は、前記の確認看板Ａのように自分の所有する送信端末２で行うことにより、作業者の特定が可能である。
【００２９】
同様に、仮設フェンスＣ（図４参照）、ガードマンボックスＤ（図５参照）、仮設門扉Ｅ（図６参照）、仮設電柱Ｆ（図７参照）のように作業現場等に必要なものに、バーコードを貼り付け、印刷又は埋め込みする場合も考えられる。前述の確認看板Ａ及び仮設トイレＢと同様な特徴があげられる。確認看板Ａ及び仮設トイレＢの場合と同様に、仮設フェンスＣ、ガードマンボックスＤ、仮設門扉Ｅ、仮設電柱Ｆにコードナンバー読取り端末１を収納する場所を作り、収納場所に置いておくことも可能である。この場合は、前記の確認看板Ａ及び仮設トイレＢのように自分の所有する送信端末２で行うことにより、作業者の特定が可能である。図２は確認看板Ａにバーコードを貼り付け、印刷又は埋め込みされた実際の一例を表した図である。
【００３０】
本願発明を使用することによって、労務管理・作業者の出退勤管理が非常に簡易になり、作業者の出勤時間・退勤時間・作業状況・特定の作業者がどの作業現場等にいるかを正確に管理することができる。
【００３１】
なお、送信端末２等にＧＰＳ（Ｇｌｏｂａｌ  Ｐｏｓｉｔｉｏｎｉｎｇ  Ｓｙｓｔｅｍ）を搭載することによって、サーバ３の負担を軽くして、簡易に位置情報を送信することも可能である。また、位置情報を送信することによって、現場間移動の指示、顧客からの急な依頼、トラブルが起きた際の最寄り現場への対応等ができるようになる。
【００３２】
【発明の効果】
請求項１は、バーコード・識別コード等のコードナンバーを貼り付け、印刷又は埋め込みした建設現場・工事現場に予め決定された特定位置に設置した確認看板と、該確認看板に貼り付け、印刷又は埋め込みされたバーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶及び管理する記憶部と、該記憶部により記憶されたコードナンバーデータを管理サーバに送信する送信部と、該送信部により送信されたコードナンバーデータを出力変換し出力する出力部と、でなる建設現場・工事現場に設置された確認看板・仮設トイレ・仮設フェンス・ガードマンボックス・仮設電柱・仮設門扉等に貼り付け、印刷又は埋め込まれたバーコード・識別コード等のコードナンバーによるインターネット等の通信回線を利用した作業者の出退勤管理・労務管理システムである。従って、自己のコードナンバー読取り端末又は送信端末で読取り又は送信しなければならず、作業者の不正を防止することができること、バーコードを貼り付け、印刷又は埋め込みするので、現場の電源が不要であること、データをサーバに保管することが可能であるので、どこにいても管理資料等の資料の作成・閲覧が可能であること、バーコード等のコードナンバーの使用により、作業の効率化、入力ミス等の防止が可能であること、作業者の出退勤管理が非常に簡易にできることにより、作業者賃金総額の把握・作業者の日程管理が簡易にでき、従って、建設業に関する法定書類・官庁提出書類の作成及び社内管理書類の作成が非常に容易にできること、等の効果がある。
【００３３】
請求項２は、バーコード・識別コード等のコードナンバーを読取るコードナンバー読取り端末と、該コードナンバー読取り端末により読取られたコードナンバーデータを送信する携帯可能な送信端末と、該送信端末により送信されたコードナンバーデータを受信する受信部と、該受信部により受信したコードナンバーデータを記憶する記憶部と、該記憶部により記憶されたコードナンバーデータを管理サーバに送信する送信部と、該送信部により送信されたコードナンバーデータを出力変換し出力する出力部と、でなる建設現場・工事現場に予め決定された特定位置に設置された確認看板に貼り付け、印刷又は埋め込まれたバーコード・識別コード等のコードナンバーによるインターネット等の通信回線を利用した作業者の出退勤管理・労務管理システムに使用される確認看板である。従って、確認看板は建設現場・工事現場に必ず設置され、  その確認看板等にバーコード等のコードナンバーを貼り付け、印刷又は埋め込みするものであり、低コストで確実な作業者の管理が可能なこと、バーコード等のコードナンバーを貼り付け、印刷又は埋め込みするもので、現場の電源が不要であること、現場の電源が不要であるため、山奥の現場・地下の現場等にも対応することができること、等の効果がある。
【００３４】
請求項３は、バーコード・識別コード等のコードナンバーを建設現場・工事現場に予め決定された特定位置に設置された仮設トイレ・仮設フェンス・ガードマンボックス・仮設電柱・仮設門扉に貼り付け、印刷又は埋め込みした建設現場・工事現場に予め決定された特定位置に設置された確認看板等に貼り付け、印刷又は埋め込まれたバーコード・識別コード等のコードナンバーによるインターネット等の通信回線を利用した作業者の出退勤管理・労務管理システムである。従って、仮設トイレ・仮設フェンス・ガードマンボックス・仮設電柱・仮設門扉は建設現場・工事現場に必要なものであり、コードナンバーを貼り付け、印刷又は埋め込みすることによって簡易に作業者の出退勤管理が可能なこと、低コストであること、等の効果がある。
【図面の簡単な説明】
【図１】本発明の一実施形態を表したブロック図である。
【図２】本発明に使用されるバーコードを貼り付け、印刷又は埋め込みした確認看板の一例を表した正面図である。
【図３】本発明に使用されるバーコードを貼り付け、印刷又は埋め込みした仮設トイレの一例を表した斜視図である。
【図４】本発明に使用されるバーコードを貼り付け、印刷又は埋め込みした仮設フェンスの一例を表した斜視図である。
【図５】本発明に使用されるバーコードを貼り付け、印刷又は埋め込みしたガードマンボックスの一例を表した斜視図である。
【図６】本発明に使用されるバーコードを貼り付け、印刷又は埋め込みした仮設門扉の一例を表した斜視図である。
【図７】本発明に使用されるバーコードを貼り付け、印刷又は埋め込みした仮設電柱の一例を表した斜視図である。
【符号の説明】
１      コードナンバー読取り端末
２      送信端末
３      サーバ
３１      受信部
３２      記憶部
３３      表示部
３４      送信部
４      管理サーバ
４１      出力部
５      携帯端末
６      パソコン
７      他のパソコン
Ａ      確認看板
Ｂ      仮設トイレ
Ｃ      仮設フェンス
Ｄ      ガードマンボックス
Ｅ      仮設電柱
Ｆ      仮設門扉
Ｚ      バーコード
【図１】
2004326226.tif 000003
【図２】
2004326226.tif 000004
【図３】
2004326226.tif 000005
【図４】
2004326226.tif 000006
【図５】
2004326226.tif 000007
【図６】
2004326226.tif 000008
【図７】
2004326226.tif 000009